(57)【要約】      （修正有）【課題】問診回答提供システムにおいて、解析要求者が所要受診者の問診回答を解析する際の作業効率を向上し、受診者に対する医療の質の均一化を図り、解析要求者の職種及び使用端末の利用目的にマッチした、所要患者の問診項目の解析結果を提供。【解決手段】問診回答解析システムは、解析要求端末から解析要求情報を受信する手段と、解析対象問診項目ＤＢに格納された問診項目のうち解析要求受信手段で受信した解析要求情報に対応した解析対象問診項目を選択する手段と、問診回答ＤＢに保管された複数受診者の問診回答のうち解析要求受信手段で受信した解析要求情報に対応した問診回答を選択する手段と、解析対象問診項目選択手段で選択した解析対象問診項目の各項目に、問診回答選択手段で選択した問診回答の各問診項目に対する回答をそれぞれあてはめて問診解析を実施し、問診回答解析結果を解析要求端末に提供する手段とを設けた。【選択図】  図２
2006277075.tif 000002
【特許請求の範囲】
【請求項１】
種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、
解析要求が実行された解析要求端末から、解析要求情報を受信する解析要求受信手段と、
前記種々の問診項目のうち、前記解析要求受信手段で受信した解析要求情報に対応した解析対象問診項目を選択する解析対象問診項目選択手段と、
前記問診回答データベースに保管された前記複数受診者の問診回答のうち、前記解析要求受信手段で受信した解析要求情報に対応した問診回答を選択する問診回答選択手段と、
前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、
前記問診回答解析結果を前記解析要求端末に提供する問診回答解析結果送信手段とを設けたことを特徴とする問診回答解析システム。
【請求項２】
前記解析要求情報と前記解析対象問診項目との対応テーブルを格納する解析対象問診項目データベースを備えたことを特徴とする請求項１に記載の問診回答解析システム。
【請求項３】
前記解析要求情報に含まれる解析要求者職種識別情報及び解析要求端末識別情報の組み合わせと、前記解析対象問診項目との対応テーブルを格納する解析対象問診項目データベースを備えたことを特徴とする請求項１に記載の問診回答解析システム。
【請求項４】
前記解析対象問診項目の各項目に対する回答の組み合わせとメッセージとの対応テーブルを格納するメッセージデータベースを具備し、前記問診回答解析結果取得手段は、前記メッセージデータベースから対応するメッセージを取得して、そのメッセージを前記問診回答解析結果に付加することを特徴とする請求項１に記載の問診回答解析システム。
【請求項５】
種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、
問診ページを表示したり受診者が種々の問診項目に対する回答を入力したりできる受診者端末と、
前記受診者端末に問診ページを提供し前記受診者端末から受信される複数受診者の問診結果を保管するサーバと、
前記サーバに保管された複数受診者の問診結果のうち、所要受診者の問診回答についての解析要求を実行したり問診回答解析結果表示画面を表示したりする解析要求端末と、
解析要求が実行された前記解析要求端末から、解析要求情報を受信する解析要求受信手段と、
前記種々の問診項目のうち、前記解析要求受信手段で受信した解析要求情報に対応した解析対象問診項目を選択する解析対象問診項目選択手段と、
前記問診回答データベースに保管された前記複数受診者の問診回答のうち、前記解析要求受信手段で受信した解析要求情報に対応した問診回答を選択する問診回答選択手段と、
前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、
前記問診回答解析結果を前記解析要求端末に提供する問診回答解析結果送信手段とを設けたことを特徴とする問診回答解析結果表示システム。
【請求項６】
種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、
問診ページを表示したり受診者が種々の問診項目に対する回答を入力したりできる受診者端末と、
前記受診者端末に問診ページを提供し前記受診者端末から受信される複数受診者の問診結果を保管するサーバと、
前記サーバに保管された複数受診者の問診結果のうち、所要受診者の問診回答についての解析要求を実行したり問診回答解析結果表示画面を表示したりする解析要求端末とを備え、
前記サーバに、
解析要求が実行された前記解析要求端末から、解析要求情報を受信する解析要求受信手段と、
前記種々の問診項目のうち、前記解析要求受信手段で受信した解析要求情報に対応した解析対象問診項目を選択する解析対象問診項目選択手段と、
前記問診回答データベースに保管された前記複数受診者の問診回答のうち、前記解析要求受信手段で受信した解析要求情報に対応した問診回答を選択する問診回答選択手段と、
前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、
前記問診回答解析結果を前記解析要求端末に提供する問診回答解析結果送信手段とを設けたことを特徴とする問診回答解析結果表示システム。
【請求項７】
前記サーバを、Ｗｅｂブラウザ等のクライアントコンピュータである前記受診者端末からの問診ページ要求に応じて問診ページを作成して、この問診ページを、ネットワークを介して前記受診者端末に送信するＷｅｂサーバとしたことを特徴とする請求項５又は６に記載の問診回答解析結果表示システム。
【請求項８】
種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、
前記種々の問診項目に従って受診者が記入した記述式の問診回答用紙から受診者の問診回答を読み込む問診回答読込手段と、
前記問診回答読込手段から問診回答を取り込む問診回答取込手段と、
前記問診回答取込手段から入力した問診回答を保管する問診回答解析システムと、
前記問診回答解析システムに保管された複数受診者の問診結果のうち、所要受診者の問診回答についての解析要求を実行したり問診回答解析結果表示画面を表示したりする解析要求端末とを設け、
前記問診回答解析システムに、
解析要求が実行された前記解析要求端末から、解析要求情報を受信する解析要求受信手段と、
前記種々の問診項目のうち、前記解析要求受信手段で受信した解析要求情報に対応した解析対象問診項目を選択する解析対象問診項目選択手段と、
前記問診回答データベースに保管された前記複数受診者の問診回答のうち、前記解析要求受信手段で受信した解析要求情報に対応した問診回答を選択する問診回答選択手段と、
前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、
前記問診回答解析結果を前記解析要求端末に提供する問診回答解析結果送信手段とを設けたことを特徴とする問診回答解析結果表示システム。
【請求項９】
前記問診解答用紙としてＯＣＲ用紙を、前記問診回答読込手段としてＯＣＲを利用したことを特徴とする請求項８に記載の問診回答解析結果表示システム。
【請求項１０】
前記問診解答用紙としてマークシート用紙を、前記問診回答読込手段としてマークシート用紙読込装置を利用したことを特徴とする請求項８に記載の問診回答解析結果表示システム。
【請求項１１】
前記解析要求情報と前記解析対象問診項目との対応テーブルを格納する解析対象問診項目データベースが備えられたことを特徴とする請求項５，６及び８のうちいずれか１項に記載の問診回答解析結果表示システム。
【請求項１２】
前記解析要求情報に含まれる解析要求者職種識別情報及び解析要求端末識別情報の組み合わせと、前記解析対象問診項目との対応テーブルを格納する解析対象問診項目データベースが備えられたことを特徴とする請求項５，６及び８のうちいずれか１項に記載の問診回答解析結果表示システム。
【請求項１３】
前記解析対象問診項目の各項目に対する回答の組み合わせとメッセージとの対応テーブルを格納するメッセージデータベースを具備し、前記問診回答解析結果取得手段は、前記メッセージデータベースから対応するメッセージを取得して、そのメッセージを前記問診回答解析結果に付加することを特徴とする請求項５，６及び８のうちいずれか１項に記載の問診回答解析結果表示システム。
【請求項１４】
種々の問診項目について回答した受診者の問診回答を複数受診者について収集して前記複数受診者の問診回答として保管し、前記複数受診者の問診回答のうち、所要受診者の問診回答を表示する問診回答表示方法において、
ネットワーク上のコンピュータから解析要求情報が受信される解析要求情報受信工程と、
前記種々の問診項目のうち、前記解析要求情報に対応した解析対象問診項目が選択される解析対象問診項目選択工程と、
前記複数受診者の問診回答のうち、前記解析要求情報に含まれる受診者識別情報に対応した問診回答が選択される受診者選択工程と、
解析対象問診項目選択工程にて選択された解析対象問診項目の各項目に、受診者選択工程にて選択された問診回答の各問診項目に対する回答があてはめられて問診回答解析結果が取得される問診回答解析結果取得工程と、
前記問診回答解析結果が前記コンピュータに提供される問診回答解析結果送信工程とを有することを特徴とする問診回答解析方法。
【請求項１５】
前記解析対象問診項目選択工程では、前記解析要求情報に含まれる解析要求者職種識別情報及び解析端末識別情報の組み合わせに対応した解析対象問診項目が選択されることを特徴とする請求項１４に記載の問診回答解析方法。
【請求項１６】
前記問診回答解析結果を問診回答解析結果表示画面として前記解析要求端末に表示させることを特徴とする請求項１４に記載の問診回答解析方法。
【請求項１７】
前記問診回答解析結果表示画面上で、マウスポインタがコンポーネント上に入った場合、該当するコメントが表示されることを特徴とする請求項１６に記載の問診回答解析方法。
【請求項１８】
前記問診回答解析結果における、各解析対象問診項目に対する回答の組み合わせから定まるメッセージ識別子が、前記問診回答解析結果に付加されることを特徴とする請求項１４に記載の問診回答解析方法。
【請求項１９】
前記メッセージ識別子に、表示優先順位が与えられることを特徴とする請求項１８に記載の問診回答解析方法。
【発明の詳細な説明】
【技術分野】
【０００１】
健康診断センタにおいて収集された複数受診者の問診回答を管理し、所要受信者の問診回答を提供する技術に係り、特に、所要受信者の問診回答に解析を加えてその解析結果を提供する問診回答解析結果表示システム、問診回答解析システム及び問診回答解析方法に関するものである。
【背景技術】
【０００２】
多くの会社、学校、事務所等の従事者に対し、健康診断事業者の施設で定期的に健康診断が行なわれている。この健康診断に際し、健康診断の受診者は、種々の問診項目についての回答を行なう。種々の問診項目についての回答は、ＯＣＲ（Optical Character Reader）用紙やマークシート用紙に記入することで行なわれる。
【０００３】
ＯＣＲ用紙やマークシート用紙に記入された受診者の問診回答はデータベース化され、医療従事者（医師、技師、保健士又は看護士等）が所要受診者の問診回答の表示要求をネットワークを介したＰＣ（Personal Computer）から実行する。このＰＣの画面上に表示された所要受診者の問診回答を参照して、医療従事者各人で問診回答の解釈・判断を行なっている（例えば、特許文献１参照。）。
【特許文献１】特開２００２−２４５１７６号公報
【発明の開示】
【発明が解決しようとする課題】
【０００４】
従来のシステムにおいては、一般の受診者あるいは患者を想定して設計され、受診者あるいは患者の利便性のみが考慮されており、医療従事者の業務を支援することは考慮されていなかった。そのため、健康診断センタ等の医療機関では医療従事者各人が、表示された所要受診者の問診回答を参照して問診回答の解釈・判断を行なっている。この場合、医療従事者各人の知識に基づいて問診回答の解釈・判断を行なっているので、作業効率が悪かった。
【０００５】
加えて、医療従事者の知識に基づいて解釈・判断が行なわれると、診断する医療従事者各人の能力や経験の違いが診断結果に影響を与えるため、医療の質の不均一が問題視されていた。そのため、同一施設で医療を受診しても、診断される医療従事者によっては結果が異なると言う事象が発生することになる。特に、問診回答の解釈・判断にあたっては、複数の問診項目の結果を総合的に判断する必要があり、医療従事者の技量の違いが顕著に現れる分野の一つであるとされている。
【０００６】
また、健康診断センタでは、医療従事者に対して、受診者の様々な検査や面接による情報提供が行なわれる。よって、医療従事者の職種による利用目的に合わせた問診解析の提供が必要であるが、従来のシステムの応用では実現できない。医師に対して解析結果を提供する場合であっても、利用目的が消化器の検査であるのか、呼吸器の検査であるのかによって、必要とする問診情報は当然異なる。ましてや、職種が異なる場合には、注目すべき問診情報が異なることは自明である。
【０００７】
例えば、医療従事者のうち職種が医師の場合には、所要患者の問診回答から検査実施時の注意点や、疑われる疾患名、注目すべき検査項目が注目すべき点である一方、保健指導を行なう保健士の場合には、疑われる疾患名、生活上の注意点などの指導ポイントが注目すべき点となる。
【０００８】
また、職種が医師であり、胃内視鏡検査と受診者面接を担当している場合、端末分類コードは胃内視鏡検査を行なう場合には胃内視鏡室、面接を行なう時には面接室となるので、同一医師であっても胃内視鏡室にいる場合と面接室にいる場合とで、異なった解析手法が適用されることが望まれる。
【０００９】
本発明は、解析要求者が所要受診者の問診回答を解析する際の作業効率を向上することができる問診回答解析結果表示システム、問診回答解析システム及び問診回答解析方法を提供することを目的とする。
【００１０】
また、本発明の第２の目的は、受診者に対する医療の質の均一化を図ることができる問診回答解析結果表示システム、問診回答解析システム及び問診回答解析方法を提供することにある。
【００１１】
さらに、本発明の第３の目的は、解析要求者の職種及び使用端末の位置（利用目的）のにマッチした、所要患者の問診項目の解析結果を提供できる問診回答解析結果表示システム、問診回答解析システム及び問診回答解析方法を提供することにある。
【課題を解決するための手段】
【００１２】
本発明に係る問診回答解析システムは、上述した課題を解決するために、種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、解析要求が実行された解析要求端末から、解析要求情報を受信する解析要求受信手段と、前記種々の問診項目のうち、前記解析要求受信手段で受信した解析要求情報に対応した解析対象問診項目を選択する解析対象問診項目選択手段と、前記問診回答データベースに保管された前記複数受診者の問診回答のうち、前記解析要求受信手段で受信した解析要求情報に対応した問診回答を選択する問診回答選択手段と、前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、前記問診回答解析結果を前記解析要求端末に提供する問診回答解析結果送信手段とを設けた。
【００１３】
また、本発明に係る問診回答解析結果表示システムは、種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、問診ページを表示したり受診者が種々の問診項目に対する回答を入力したりできる受診者端末と、前記受診者端末に問診ページを提供し前記受診者端末から受信される複数受診者の問診結果を保管するサーバと、前記サーバに保管された複数受診者の問診結果のうち、所要受診者の問診回答についての解析要求を実行したり問診回答解析結果表示画面を表示したりする解析要求端末と、解析要求が実行された前記解析要求端末から、解析要求情報を受信する解析要求受信手段と、前記種々の問診項目のうち、前記解析要求受信手段で受信した解析要求情報に対応した解析対象問診項目を選択する解析対象問診項目選択手段と、前記問診回答データベースに保管された前記複数受診者の問診回答のうち、前記解析要求受信手段で受信した解析要求情報に対応した問診回答を選択する問診回答選択手段と、前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、前記問診回答解析結果を前記解析要求端末に提供する問診回答解析結果送信手段とを設けた。
【００１４】
さらに、本発明に係る問診回答解析結果表示システムは、種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、問診ページを表示したり受診者が種々の問診項目に対する回答を入力したりできる受診者端末と、前記受診者端末に問診ページを提供し前記受診者端末から受信される複数受診者の問診結果を保管するサーバと、前記サーバに保管された複数受診者の問診結果のうち、所要受診者の問診回答についての解析要求を実行したり問診回答解析結果表示画面を表示したりする解析要求端末とを備え、前記サーバに、解析要求が実行された前記解析要求端末から、解析要求情報を受信する解析要求受信手段と、前記種々の問診項目のうち、前記解析要求受信手段で受信した解析要求情報に対応した解析対象問診項目を選択する解析対象問診項目選択手段と、前記問診回答データベースに保管された前記複数受診者の問診回答のうち、前記解析要求受信手段で受信した解析要求情報に対応した問診回答を選択する問診回答選択手段と前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、前記問診回答解析結果を前記解析要求端末に提供する問診回答解析結果送信手段とを設けた。
【００１５】
加えて、本発明に係る問診回答解析結果表示システムは、種々の問診項目について回答した受診者の問診回答を複数受診者について収集して前記複数受診者の問診回答として保管する問診回答データベースと、所要受診者の問診回答ついての表示要求を実行したり前記所要受診者の問診回答を表示したりできる端末とを有する問診回答表示システムにおいて、前記種々の問診項目に従って受診者が記入した記述式の問診回答用紙から受診者の問診回答を読み込む問診回答読込手段と、前記問診回答読込手段から問診回答を取り込む問診回答取込手段と、前記問診回答取込手段から入力した問診回答を保管する問診回答解析システムと、前記問診回答解析システムに保管された複数受診者の問診結果のうち、所要受診者の問診回答についての解析要求を実行したり問診回答解析結果表示画面を表示したりする解析要求端末とを設け、前記問診回答解析システムに、解析要求が実行された前記解析要求端末から、解析要求情報を受信する解析要求受信手段と、前記種々の問診項目のうち、前記解析要求受信手段で受信した解析要求情報に対応した解析対象問診項目を選択する解析対象問診項目選択手段と、前記問診回答データベースに保管された前記複数受診者の問診回答のうち、前記解析要求受信手段で受信した解析要求情報に対応した問診回答を選択する問診回答選択手段と、前記解析対象問診項目選択手段で選択した解析対象問診項目の各項目に、前記問診回答選択手段で選択した問診回答の各問診項目に対する回答をそれぞれあてはめて問診解析を実施し、その問診回答解析結果を取得する問診回答解析結果取得手段と、前記問診回答解析結果を前記解析要求端末に提供する問診回答解析結果送信手段とを設けた。
【００１６】
本発明に係る問診回答解析方法は、上述した課題を解決するために、種々の問診項目について回答した受診者の問診回答を複数受診者について収集して前記複数受診者の問診回答として保管し、前記複数受診者の問診回答のうち、所要受診者の問診回答を表示する問診回答表示方法において、ネットワーク上のコンピュータから解析要求情報が受信される解析要求情報受信工程と、前記種々の問診項目のうち、前記解析要求情報に対応した解析対象問診項目が選択される解析対象問診項目選択工程と、前記複数受診者の問診回答のうち、前記解析要求情報に含まれる受診者識別情報に対応した問診回答が選択される受診者選択工程と、解析対象問診項目選択工程にて選択された解析対象問診項目の各項目に、受診者選択工程にて選択された問診回答の各問診項目に対する回答があてはめられて問診回答解析結果が取得される問診回答解析結果取得工程と、前記問診回答解析結果が前記コンピュータに提供される問診回答解析結果送信工程とを有する。
【発明の効果】
【００１７】
本発明に係る問診回答解析結果表示システム、問診回答解析システム及び問診回答解析方法によると、解析要求者が所要受診者の問診回答を解析する際の作業効率を向上することができる。
【００１８】
また、本発明に係る問診回答解析結果表示システム、問診回答解析システム及び問診回答解析方法によると、受診者に対する医療の質の均一化を図ることができる。
【００１９】
さらに、本発明に係る問診回答解析結果表示システム、問診回答解析システム及び問診回答解析方法によると、解析要求者の職種及び使用端末の位置（利用目的）にマッチした、所要患者の問診項目の解析結果を提供できる。
【発明を実施するための最良の形態】
【００２０】
本発明に係る問診回答解析結果表示システム、問診回答解析システム及び問診回答解析方法の実施の形態について、添付図面を参照して説明する。
【００２１】
図１は、本発明に係る問診回答解析結果表示システムの第１実施の形態を示す概略図である。
【００２２】
図１は、問診回答解析結果表示システム１０を示し、この問診回答解析結果表示システム１０には、問診ページを表示したり受診者が種々の問診項目に対する回答を入力したりできる受診者端末１１（受診者端末１１ａ，１１ｂ，１１ｃ，…）と、この受診者端末１１に問診ページを提供し受診者端末１１から複数受診者の問診結果を受診して保管するサーバ１２と、このサーバ１２に保管された複数受診者の問診結果のうち、所要受診者の問診回答についての解析要求を解析要求者が実行したり問診回答解析結果表示画面を表示したりできる解析要求端末１３とが備えられる。
【００２３】
受診者端末１１及びサーバ１２は、ネットワーク、例えばインターネット、でデータ通信可能に接続されている。サーバ１２及び解析要求端末１３は、医療機関、例えば健康診断事業者の施設（以下、「健康診断センタ」という。）内のネットワークであるＬＡＮ（Local Area Network）１５でデータ通信可能に接続されている。
【００２４】
受診者端末１１は、ＰＣ（Personal Computer）、携帯電話及びＰＤＡ（Personal Digital Assistance）等のコンピュータで構成される。受診者端末１１のうち、例えば、受診者端末１１ａは家庭に、受診者端末１１ｂは会社に、受診者端末１１ｃは健康診断センタにそれぞれ設置されているものとする。以下、受診者端末１１として、受診者端末１１ａを用いて説明するが、特に、受診者端末１１ａに限定されるものではない。
【００２５】
サーバ１２は、例えば、Ｗｅｂブラウザ等のクライアントコンピュータである受診者端末１１ａからの問診ページ要求に応じて問診ページを作成して、この問診ページを、インターネット１４を介して受診者端末１１ａに送信するＷｅｂサーバとする。サーバ１２には、インターネット１４を介して受診者端末１１ａからの問診ページ要求を受付ける問診ページ要求受付手段２１と、この問診ページ要求受付手段２１で受付けた問診ページ要求によって問診項目ＤＢ２２から問診項目を読み込んで問診ページを作成する問診ページ作成手段２３と、インターネット１４を介して受診者端末１１ａに問診ページを送信する問診ページ送信手段２４と、問診ページの問診項目毎に受診者によって回答が入力され、問診回答として受診者端末１１ａからインターネット１４を介して取り込む問診回答取込手段２５と、問診回答解析システム３０とが設けられており、サーバ１２内の問診回答解析システム３０は、問診回答解析結果表示システム１０のサブシステムとして位置づけられる。
【００２６】
なお、図１に示された問診回答解析結果表示システム１０では、サーバ１２内に問診回答解析システム３０を設けるように構成したが、サーバ１２から問診回答解析システム３０を独立させ、双方を、ＬＡＮ１５を介してデータ通信可能に接続してもよい。
【００２７】
図２は、本発明に係る問診回答解析システム３０の構成と解析要求端末１３とを示す概略図である。
【００２８】
図２は、問診回答解析システム３０と、健康診断センタ内の多様な位置に設置された解析要求端末１３（解析要求端末１３ａ，１３ｂ，１３ｃ，…）とを示し、この解析要求端末１３は、ＰＣ等のコンピュータで構成される。解析要求端末１３のうち、例えば、解析要求端末１３ａは胃内視鏡検査室に、解析要求端末１３ｂは胃Ｘ線検査室に、また、解析要求端末１３ｃは面接室にそれぞれ設置されているものとする。以下、解析要求端末１３として、胃内視鏡検査室に設置された解析要求端末１３ａを用いて説明するが、特に、解析要求端末１３ａに限定されるものではない。
【００２９】
解析要求が実行された解析要求端末１３ａから送信される解析要求情報は、解析要求端末１３ａのＬＡＮ１５へのログインを行なった解析要求者（解析要求者ａ，ｂ又はｃ等）に関する解析要求者識別情報、ログインを行なった解析要求者の職種（医師、技師、保健士又は看護士等）に関する解析要求者職種識別情報、ログインされた解析要求端末１３ａに関する解析要求端末識別情報、及び、所要受診者（受診者Ａ，Ｂ又はＣ等）に関する受診者識別情報を少なくとも有している。なお、解析要求情報に、問診に対する受診者の回答日に関する回答日情報や、受診者の健康診断受診日に関する健康診断受診日情報等を有してもよい。
【００３０】
解析要求者識別情報は、解析要求者を一意に識別する識別子であり、例えば解析要求者の職員コードが使われる。解析要求者職種識別情報は、解析要求者の職種を一意に識別する識別子であり、例えば解析要求者の職種コードが使われる。解析要求端末識別情報は、解析要求端末１３ａを一意に識別する識別子であり、文字列や数値等のコードが使われる。受診者識別情報は、受診者を一意に識別する識別子であり、例えば受診者ＩＤ（IDentification）が使われる。
【００３１】
問診回答解析システム３０には、解析要求端末１３ａからＬＡＮ１５を介して解析要求情報を受信する解析要求受信手段３１と、この解析要求受信手段３１で受信した解析要求情報に含まれる解析要求者職種識別情報及び解析要求端末識別情報の組み合わせに対応した解析対象問診項目、及び、同じく解析要求情報に含まれる受診者識別情報に対応した問診回答とをそれぞれ選択する選択手段３４と、この選択手段３４で選択した解析対象問診項目の各項目に、選択手段３４で選択した問診回答の各問診項目に対する回答（Ｙｅｓ又はＮｏ）をそれぞれあてはめて問診回答解析を実施し、その問診回答解析結果を取得する問診回答解析結果取得手段３５と、問診回答解析結果を、ＬＡＮ１５を介して解析要求端末１３ａに提供する問診回答解析結果送信手段３６とが設けられる。問診回答解析結果送信手段３６は、解析要求端末１３ａに問診回答解析結果表示画面を表示させる機能を有する。
【００３２】
また、選択手段３４には、種々の問診項目のうち、解析要求情報に含まれる解析要求者職種識別情報及び解析要求端末情報の組み合わせに対応した解析対象問診項目を選択する解析対象問診項目選択手段３４ａと、複数受診者の問診回答のうち、解析要求情報に含まれる受診者識別情報に対応した問診回答を選択する問診回答選択手段３４ｂとがそれぞれ具備される。
【００３３】
問診回答解析システム３０には、解析要求者職種及び解析要求端末の組み合わせによって設定された、解析要求者職種及び解析要求端末の組み合わせと解析対象問診項目との対応テーブルを格納する解析対象問診項目ＤＢ（Data Base）３８が備えられる。選択手段３４の解析対象問診項目選択手段３４ａは、解析対象問診項目ＤＢ３８に格納する対応テーブルから、解析要求者職種識別情報及び解析要求端末識別情報の組み合わせに対応する解析対象問診項目を選択する。
【００３４】
図３は、解析対象問診項目ＤＢ３８に格納された、解析要求者職種及び解析要求端末の組み合わせと解析対象問診項目との対応テーブルの一例を示す図である。
【００３５】
図３は、解析対象問診項目ＤＢ３８に格納された、第１分類である解析要求者職種｛医師、技師、保健士、看護士、…｝と、第２分類である解析要求端末｛解析要求端末１３ａ（胃内視鏡検査室）、解析要求端末１３ｂ（胃Ｘ線検査室）、解析要求端末１３ｃ（面接室）、…｝との組み合わせによって設定された解析対象問診項目を示すものである。なお、図３に示された解析対象問診項目ＤＢ３８では、問診項目として問診項目［１］乃至［５］の５種を示したが、問診項目は５種に限定されるものではない。
【００３６】
例えば、解析要求者職種が医師、解析要求端末が解析要求端末１３ａの場合、図３に示された解析対象問診項目ＤＢ３８では、解析対象問診項目として問診項目［１］，［３］，［４］，［５］が、解析対象外の問診項目として問診項目［２］がそれぞれ設定されている。
【００３７】
ここで、問診項目は、例えば、「時々お腹が痛い」、「お腹がはる」、「食後の胃に痛みがある」及び「睡眠中、息苦しく感じたことがある」といった受診者に対する具体的な質問で構成されている。解析対象問診項目ＤＢ３８で、解析要求者職種及び解析要求端末の組み合わせによってどの問診項目を解析対象とするかを予め設定しておくことで、例えば、消化器の疾患を解析する場合には、「食後の胃の痛み」のような消化器に関する問診項目を解析対象とする一方、泌尿器疾患に関する問診項目を解析対象外として定義することができる。
【００３８】
また、図２に示された問診回答解析システム３０には、問診を受けた複数受診者と問診回答との対応テーブルを保管する問診回答ＤＢ３９が備えられる。選択手段３４の問診回答選択手段３４ｂは、問診回答ＤＢ３９で保管する対応テーブルから、受診者識別情報に対応する問診回答を選択する。
【００３９】
図４は、問診回答ＤＢ３９に保管される、受診者と問診回答との対応テーブルの一例を示す図である。
【００４０】
図４は、家庭に設置された受診者端末１１ａ（図１に示す）を用いて問診を受けた複数受診者｛受診者Ａ，Ｂ，Ｃ，…｝の問診回答を保管する問診回答ＤＢ３９を示すものである。問診回答ＤＢ３９には、複数受診者とその受診者毎の問診回答（各問診項目に対する回答）との対応テーブルが保管される。なお、図４に示された問診回答ＤＢ３９では、問診項目として問診項目［１］乃至［５］の５種を示したが、問診項目は５種に限定されるものではない。
【００４１】
例えば、受診者Ｃは、問診項目［１］，［２］，［５］ではＹｅｓと、問診項目［３］，［４］ではＮｏと回答している。
【００４２】
続いて、問診回答解析システム３０を有する問診回答解析結果表示システム１０を用いた問診回答解析方法について、図５に示されたフローチャートを用いて説明する。
【００４３】
まず、図１に示された問診回答解析結果表示システム１０において、受診者は、インターネット１４を介して、家庭に設置された受診者端末１１ａに表示されるＷｅｂブラウザから予め指定されたＵＲＬ（Uniform Resource Locator）にアクセスする。受診者は、インターネット１４を介して健康診断センタのホームページにアクセスすることができ、ホームページから問診ページ要求を行なう。受診者からの問診ページ要求は、問診ページ要求受付手段２１により受付けられ、問診ページ作成手段２３に送られる。問診ページ作成手段２３では、問診ページ要求によって問診項目ＤＢ２２から問診項目を読み込まれ問診ページが作成される。
【００４４】
問診ページ作成手段２３で作成された問診ページは、インターネット１４を介して問診ページ送信手段２４から受診者端末１１ａに送信され、受診者端末１１ａに表示される。受診者端末１１ａに表示された問診ページを用いて、受診者が問診項目毎に回答を入力する。
【００４５】
問診項目毎に回答が入力された受診者の問診回答は、インターネット１４を介して受診者端末１１から送信され、サーバ１２の問診回答取込手段２５で受信される。受信された問診回答は、問診回答取込手段２５で受診者属性情報と関連付けられる。
【００４６】
受診者属性情報と関連付けられた問診回答は、問診回答解析システム３０の問診回答ＤＢ３９（図２に示す）に送られ、この問診回答ＤＢ３９で保管される。問診回答ＤＢ３９には、受診者端末１１ａを用いて種々の問診項目について回答した複数受診者｛受診者Ａ，Ｂ，Ｃ，…｝の問診回答が保管される。
【００４７】
次いで、解析要求者が、図２に示された解析要求端末１３ａをＬＡＮ１５にログインする。ログインされた解析要求端末１３ａを解析要求者が操作し、所要受診者の問診回答についての解析要求を実行する。以下、職種が医師である解析要求者ａが解析要求端末１３ａを操作し、所要受診者としての受診者Ｃに関する問診解析結果を取得する場合について説明する。しかし、本発明は、特に、解析要求者ａが解析要求端末１３ａを操作し、受診者Ｃに関する問診解析結果を取得する場合に限定されるものではない。
【００４８】
解析要求が実行された解析要求端末１３ａから、解析要求情報がＬＡＮ１５を介して問診回答解析システム３０に入力される。解析要求情報は、ログインを行なった解析要求者ａに関する解析要求者識別情報と、ログインを行なった解析要求者ａの職種に関する解析要求者職種識別情報と、ログインされた解析要求端末１３ａに関する解析要求端末識別情報と、受診者Ｃに関する受診者識別情報とを少なくとも有している。解析要求情報は、問診回答解析システム３０の解析要求受信手段３１で受信される（ステップＳ１）。
【００４９】
解析要求情報は解析要求受信手段３１から選択手段３４に送られ、この選択手段３４の解析対象問診項目選択手段３４ａでは、解析対象問診項目ＤＢ３８に格納する解析要求者職種及び解析要求端末の組み合わせによって設定された解析対象問診項目から、解析要求情報に含まれる解析要求者職種識別情報及び解析要求端末識別情報の組み合わせに対応した解析対象問診項目が選択される（ステップＳ２）。
【００５０】
職種が医師である解析要求者ａが、解析要求端末１３ａを操作し、受診者Ｃに関する問診解析結果を取得する場合、解析対象問診項目選択手段３４ａでは、図３に示された解析対象問診項目ＤＢ３８から、医師及び解析要求端末１３ａの組み合わせに対応した解析対象問診項目［１］，［３］，［４］，［５］が選択される。
【００５１】
次いで、図２に示された問診回答解析システム３０に設けた選択手段３４の問診回答選択手段３４ｂでは、問診回答ＤＢ３９で保管する受診者毎の問診回答から、解析要求情報に含まれる受診者識別情報に対応した問診回答が選択される（ステップＳ３）。
【００５２】
職種が医師である解析要求者ａが、解析要求端末１３ａを操作し、受診者Ｃに関する問診解析結果を取得する場合、問診回答選択手段３４ｂでは、図４に示された問診回答ＤＢ３９から、受診者Ｃに対応した問診回答が選択される。選択された受診者Ｃの問診回答は、問診項目［１］，［２］，［５］がＹｅｓ、問診項目［３］，［４］がＮｏである。
【００５３】
なお、上記説明では、最初にステップＳ２にて解析対象問診項目ＤＢ３８から解析対象問診項目を選択し、後にステップＳ３にて問診回答ＤＢ３９から問診回答を選択したが、最初にステップＳ３にて問診回答を選択し、後にステップＳ２にて解析対象問診項目を選択しても構わない。
【００５４】
次いで、図２に示された問診回答解析システム３０では、ステップＳ２にて選択された解析対象問診項目と、ステップＳ３にて選択された問診回答とが選択手段２４から問診回答解析結果取得手段３５に送られる。問診回答解析結果取得手段３５では、ステップＳ２にて選択された解析対象問診項目の各項目に、ステップＳ３にて選択された問診回答の各問診項目に対する回答があてはめられて問診解析が実施され、問診解析結果が取得される（ステップＳ４）。
【００５５】
図６は、問診回答解析結果の一例を示す図である。
【００５６】
ステップＳ２にて選択された解析対象問診項目と、ステップＳ３にて選択された問診回答によって取得された問診回答解析結果を示すものである。ステップＳ２にて医師及び解析要求端末１３ａの組み合わせに対応する解析対象問診項目が選択される。ステップＳ３にて受診者Ｃに対応する問診回答が選択される。図６は、解析対象問診項目として設定された解析対象問診項目［１］，［５］にＹｅｓの回答が、解析対象問診項目［３］，［４］にＮｏの回答がそれぞれあてはめられて取得される問診回答解析結果を示す。
【００５７】
なお、図６に示された問診回答解析結果では、選択手段３４で解析対象外問診項目とされた問診項目［２］を省いて示している。
【００５８】
ここで、図２に示された問診回答解析システム３０に、各解析対象問診項目に対する回答の組み合わせとメッセージ識別子との対応テーブルを格納するメッセージＤＢ３７を具備してもよい。問診回答解析結果取得手段３５では、ステップＳ４にて取得された問診回答解析結果における、各解析対象問診項目に対する回答の組み合わせから定まるメッセージ識別子をメッセージＤＢ３７から選択し、そのメッセージ識別子が問診回答解析結果に付加される。
【００５９】
図７は、メッセージＤＢ３７に格納された、各解析対象問診項目に対する回答の組み合わせとメッセージ識別子との対応テーブルの一例を示す図である。
【００６０】
図７に示された各メッセージ識別子は、各解析対象問診項目に対する回答の組み合わせによって設定され、例えば、少なくとも解析対象問診項目［１］，［２］，［３］，［４］，［５］の回答がＹｅｓの場合にはＭＳＧ１のメッセージ識別子が、少なくとも解析対象問診項目［１］，［４］，［５］の回答がＹｅｓの場合にはＭＳＧ２のメッセージ識別子が、また、少なくとも解析対象問診項目［１］，［５］の回答がＹｅｓの場合にはＭＳＧ３のメッセージ識別子がそれぞれ選択されるように設定されている。ここで、例えば、ＭＳＧ１は「×××（疾患名）の疑いあり」というメッセージの情報と、ＭＳＧ２は「△△△の指導」というメッセージの情報と、また、ＭＳＧ３は「○○○（疾患名）の疑いあり」というメッセージの情報とそれぞれ対応付けられている。
【００６１】
また、問診回答解析結果における各解析対象問診項目に対する回答の組み合わせによっては、１つの問診回答解析結果から複数のメッセージ識別子が選択される場合がある。例えば、問診回答解析結果によって解析対象問診項目［１］，［４］，［５］の回答がＹｅｓの場合、図７に示された対応テーブルからＭＳＧ２，３のメーセージ識別子が選択される。その場合、選択された複数のメッセージ識別子の表示順位を確定するために、それぞれのメッセージ識別子に表示優先順位（表示優先順位＜１＞，＜２＞，＜３＞，…）が与えられている。
【００６２】
図２に示された問診回答解析システム３０の問診回答解析結果取得手段３５では、図６に示された問診回答解析結果を取得した場合、解析対象問診項目［１］，［５］の回答がＹｅｓであるので、図７に示された対応テーブルからＭＳＧ３のメッセージ識別子及び表示優先順位＜３＞が選択される。問診回答解析結果取得手段３５では、ステップＳ４にて作成された問診回答解析結果に、メッセージＤＢ３７から選択されたＭＳＧ３及び表示優先順位＜３＞が付加される。
【００６３】
ステップＳ４にて作成された問診回答解析結果は、問診回答解析結果取得手段３５から問診回答解析結果送信手段３６に送られ、この問診回答解析結果送信手段３６からＬＡＮ１５を介して解析要求端末１３ａに提供される（ステップＳ５）。問診回答解析結果送信手段３６は、問診回答解析結果から作成される問診回答解析結果表示画面を解析要求端末１３ａに表示させる。
【００６４】
図８は、解析要求端末１３ａに表示される問診回答解析結果表示画面の一例を示す図である。
【００６５】
図８は、例えばＨＴＭＬ（Hyper Text Markup Language）で記述されたページによって構成された問診回答解析結果表示画面を示す。
【００６６】
図８に示された問診回答解析結果表示画面には、解析要求情報に含まれる解析要求者職種識別情報から職種コード及び職種が表示され、解析要求情報に含まれる解析要求者識別情報から解析要求者氏名が表示され、解析要求情報に含まれる解析要求端末識別情報から端末コード及び端末位置が表示され、また、解析要求情報に含まれる受診者識別情報から受診者ＩＤ及び受診者氏名が表示される。
【００６７】
職種が医師である解析要求者ａが解析要求端末１３ａを操作し、受診者Ｃについての解析要求情報を問診回答解析システム３０に入力した場合、図８に示された問診回答解析結果表示画面の職種コードの欄には医師の職種コードを示す『０１』、職種の欄には『医師』がそれぞれ表示され、解析要求者氏名の欄には『解析要求者ａ』が表示される。問診回答解析結果表示画面の端末コードの欄には、解析要求端末１３ａの端末コードを示す『１０１』が、端末位置の欄には『解析要求端末１３ａ（胃内視鏡検査室）』がそれぞれ表示される。また、問診回答解析結果表示画面の受診者ＩＤの欄には受診者Ｃの受診者ＩＤを示す『２９０３８９』が、受診者氏名の欄には『受診者Ｃ』がそれぞれ表示される。
【００６８】
さらに、図８に示された問診回答解析結果表示画面には、ステップＳ４で取得した問診回答解析結果が表示される。問診回答解析結果表示画面の問診項目の欄には、問診回答解析結果の回答がＹｅｓである解析対象問診項目が表示される。例えば、図６に示された問診回答解析結果の場合、問診回答解析結果表示画面の問診項目の欄には『解析対象問診項目［１］，［５］（受診者に対する具体的な質問を含む）』が表示される。なお、図８に示した問診回答解析結果表示画面の問診項目の欄に、問診回答解析結果の回答がＹｅｓである解析対象問診項目のみを表示するようにしたが、この場合に限定されない。問診回答解析結果の回答に因らず、問診項目の欄に『解析対象問診項目［１］，［３］，［４］，［５］』を表示させ、各解析対象問診項目にその回答（Ｙｅｓ／Ｎｏ）を付記することで、各解析対象問診項目に対する回答を区別する。
【００６９】
問診回答解析結果にメッセージ識別子及び表示優先順位が付加されている場合、そのメッセージ識別子が示すメッセージが問診回答解析結果表示画面に表示される。例えば、図６に示された問診回答解析結果及び図７に示された対応テーブルから、ＭＳＧ３のメッセージ識別子が選択された場合、問診回答解析結果表示画面のメッセージの欄にメッセージ識別子ＭＳＧ３が示すメッセージである『○○○の疑いあり』が表示される。解析要求者が医師の場合には、問診回答解析結果から検査実施時の注意点、疑われる疾患名又は注目すべき検査項目等がメッセージとして表示される。また、解析要求者が保健指導を行なう保健士の場合には、疑われる疾患名、生活上の注意点等の指導ポイントがメッセージとして表示される。
【００７０】
また、問診回答解析結果表示画面上でマウスポインタが移動され、そのマウスポインタがメッセージの欄の『○○○の疑いあり』のコンポーネント上に入った場合、図７に示されたＭＳＧ３のメッセージ識別子に対応し、関連する問診項目又は問診項目とその回答がコメントとして表示されるようになっている。例えば、ＭＳＧ３のメッセージ識別子に対応し、関連する問診項目は問診項目［１］，［５］であるので、問診項目［１］である『時々お腹が痛い』と、問診項目［５］である『睡眠中、息苦しく感じたことがある』とがコメントとして表示される。なお、マウスポインタがメッセージの欄の『○○○の疑いあり』のコンポーネント上から出た場合、非表示となる。
【００７１】
また、問診回答解析システム３０の問診回答解析結果取得手段３５で、１つの問診回答解析結果から複数のメッセージ識別子が選択された場合、メッセージ識別子に与えられた表示優先順位の若い順に、問診回答解析結果表示画面のメッセージの欄に複数のメッセージ識別子が表示されるものとする。
【００７２】
なお、本発明に係る問診回答解析システム３０では、解析対象問診項目ＤＢ３８に、解析要求者職種及び解析要求端末の組み合わせと解析対象問診項目との対応テーブルを格納した。しかし、その場合に限定されず、例えば、解析対象問診項目ＤＢ３８に、解析要求者及び解析要求端末の組み合わせと解析対象問診項目との対応テーブルを格納し、この対応テーブルから、解析要求者識別情報及び解析要求端末識別情報の組み合わせに対応する解析対象問診項目を選択するようにしてもよい。また、例えば、解析対象問診項目ＤＢ３８に、解析要求者職種と解析対象問診項目との対応テーブルを格納し、この対応テーブルから、解析要求者職種識別情報に対応する解析対象問診項目を選択するようにしてもよい。さらに、例えば、解析対象問診項目ＤＢ３８に、解析要求者と解析対象問診項目との対応テーブルを格納し、この対応テーブルから、解析要求者識別情報に対応する解析対象問診項目を選択するようにしてもよい。
【００７３】
図２に示された問診回答解析システム３０を有する問診回答解析結果表示システム１０によると、解析要求者の利用目的に合わせた問診回答解析結果を提供することが可能となる。よって、解析要求者が所要受診者の問診回答を解析する際の作業効率を向上することができる。
【００７４】
また、図２に示された問診回答解析システム３０を有する問診回答解析結果表示システム１０によると、解析要求者の属性毎に予め設定された解析対象問診項目から取得した問診回答解析結果を基に医療行為を行なうことができ、医療経験豊富な解析要求者から医療経験が不十分な解析要求者に至るまで、解析要求者の属性毎に同質の医療を受診者に提供することが可能となる。よって、受診者に対する医療の質の均一化を図ることができる。
【００７５】
さらに、図２に示された問診回答解析システム３０を有する問診回答解析結果表示システム１０によると、解析要求者識別情報及び解析要求端末の組み合わせによって解析対象問診項目を選択することが可能となる。よって、解析要求者の職種及び使用端末の位置（利用目的）にマッチした、所要患者の問診項目の解析結果を提供できる。
【００７６】
図９は、本発明に係る問診回答解析結果表示システム及び問診回答解析システムの第２実施の形態を示す概略図である。
【００７７】
図９は、記述式の問診回答用紙から問診回答を読み込む問診回答読込手段、例えばＯＣＲ（Optical Character Reader）、を利用した問診回答解析結果表示システム１０Ａを示すものである。この問診回答解析結果表示システム１０Ａは、問診項目に従って受診者が記入したＯＣＲ用紙から受診者の問診回答を読み込むＯＣＲ４１と、このＯＣＲ４１から問診回答を取り込む問診回答取込手段４２と、図２に示された問診回答解析システム３０と、解析要求端末１３とを有する。ＯＣＲ４１、問診回答取込手段４２、問診回答解析システム３０及び解析要求端末１３は健康診断センタ内のＬＡＮ１５でデータ通信可能に接続されており、問診回答解析システム３０は、問診回答解析結果表示システム１０Ａのサブシステムとして位置づけられる。
【００７８】
続いて、問診回答解析結果表示システム１０Ａの動作について説明する。
【００７９】
問診回答解析結果表示システム１０Ａにおいて、受診者は、ＯＣＲ用紙に、問診項目に対する回答を記入する。ＯＣＲ４１は、ＯＣＲ４１に前もって記憶されたパターンとの照合によりＯＣＲ用紙に記入された文字を特定して、ＯＣＲ用紙から受診者の問診回答を読み込む。ＯＣＲ４１で読み込まれた問診回答は、ＯＣＲ４１からＬＡＮ１５を介して送信され、問診回答取込手段４２で受信される。受信された問診回答は、問診回答取込手段４２で受診者属性情報と関連付けられる。受診者属性情報と関連付けられた問診回答は、ＬＡＮ１５を介して問診回答解析システム３０の問診回答ＤＢ（図２に図示）に送られ、この問診回答ＤＢで保管される。問診回答ＤＢには、ＯＣＲ用紙を用いて種々の問診項目について回答した複数受診者｛受診者Ａ，Ｂ，Ｃ，…｝の問診回答が保管される。
【００８０】
次いで、問診回答解析システム３０を用いた問診回答解析方法について、図５に示されたフローチャートで説明したように動作する。
【００８１】
なお、図９に示された問診回答解析結果表示システム１０Ａでは、記述式の問診回答用紙としてＯＣＲ用紙を、記述式の問診回答用紙から問診回答を読み込む問診回答読込手段としてＯＣＲ４１を用いたが、それらを用いる場合に限定されるものではなく、例えば、記述式の問診回答用紙としてマークシート用紙を、記述式の問診回答用紙から問診回答を読み込む問診回答読込手段としてマークシート用紙読込装置を用いてもよい。
【００８２】
図２に示された問診回答解析システム３０を有する問診回答解析結果表示システム１０Ａによると、解析要求者の利用目的に合わせた問診回答解析結果を提供することが可能となる。よって、解析要求者が所要受診者の問診回答を解析する際の作業効率を向上することができる。
【００８３】
また、図２に示された問診回答解析システム３０を有する問診回答解析結果表示システム１０Ａによると、解析要求者の属性毎に予め設定された解析対象問診項目から取得した問診回答解析結果を基に医療行為を行なうことができ、医療経験豊富な解析要求者から医療経験が不十分な解析要求者に至るまで、解析要求者の属性毎に同質の医療を受診者に提供することが可能となる。よって、受診者に対する医療の質の均一化を図ることができる。
【００８４】
さらに、図２に示された問診回答解析システム３０を有する問診回答解析結果表示システム１０Ａによると、解析要求者識別情報及び解析要求端末の組み合わせによって解析対象問診項目を選択することが可能となる。よって、解析要求者の職種及び使用端末の位置（利用目的）にマッチした、所要患者の問診項目の解析結果を提供できる。
【図面の簡単な説明】
【００８５】
【図１】本発明に係る問診回答解析結果表示システム及び問診回答解析システムの第１実施の形態を示す概略図。
【図２】本発明に係る問診回答解析システムの構成と解析要求端末とを示す概略図。
【図３】解析対象問診項目ＤＢに格納された、解析要求者職種及び解析要求端末の組み合わせと解析対象問診項目との対応テーブルの一例を示す図。
【図４】問診回答ＤＢに格納された、受診者と問診回答との対応テーブルの一例を示す図。
【図５】本発明に係る問診回答解析方法を示すフローチャート。
【図６】問診回答解析結果の一例を示す図。
【図７】メッセージＤＢに格納された、各解析対象問診項目に対する回答の組み合わせとメッセージ識別子との対応テーブルの一例を示す図。
【図８】解析要求端末に表示される問診回答解析結果表示画面の一例を示す図。
【図９】本発明に係る問診回答解析結果表示システム及び問診回答解析システムの第２実施の形態を示す概略図。
【符号の説明】
【００８６】
１０，１０Ａ  問診回答解析結果表示システム
１１，１１ａ，１１ｂ，１１ｃ  受診者端末
１２  サーバ
１３，１３ａ，１３ｂ，１３ｃ  解析要求者端末
１５  ＬＡＮ
２１  問診ページ要求受付手段
２２  問診項目ＤＢ
２３  問診ページ作成手段
２４  問診ページ送信手段
２５  問診回答取込手段
３０  問診回答解析システム
３１  解析要求受信手段
３４ａ  解析対象問診項目選択手段
３４ｂ  問診回答選択手段
３５  問診回答解析結果取得手段
３６  問診回答解析結果送信手段
３７  メッセージＤＢ
４１  ＯＣＲ
【図１】
2006277075.tif 000003
【図２】
2006277075.tif 000004
【図３】
2006277075.tif 000005
【図４】
2006277075.tif 000006
【図５】
2006277075.tif 000007
【図６】
2006277075.tif 000008
【図７】
2006277075.tif 000009
【図８】
2006277075.tif 000010
【図９】
2006277075.tif 000011